(57)【要約】【課題】複数のページを含む印刷物の編集を効果的に支援することが可能な画像編集装置を提供する。【解決手段】複数の記録用紙の中央を綴じた印刷物７２が表示され、画面の下側領域に印刷物７２の各ページ（記録用紙半分の片面に対応する）７３が表示されている。そして、前ページキー７４、次ページキー７５、及び左右スクロールキー７６を選択的に押すと、その度に、印刷物７２のページがめくられて、前の２つのページ又は次の２つのページが表示され、これと同時に下側領域の４つのページ７３が左右にスクロールされて、前の２つのページ又は次の２つのページが新たに表示されて、４つのページのうちの２つが更新される。更に、挿入キー９４、削除キー９５、及び移動キー９６の操作によりページの挿入、削除、及び移動という編集処理を行うことができる。【選択図】図１２
2007228063.tif 000002
【特許請求の範囲】
【請求項１】
画像データを印刷した複数のページを含んでなる編集形態を表示する編集形態表示手段を備えることを特徴とする画像編集装置。
【請求項２】
前記編集形態表示手段により表示されている編集形態の各ページを編集する編集手段を備えることを特徴とする請求項１に記載の画像編集装置。
【請求項３】
前記編集形態は、各ページを中綴じにした編集形態、各ページを横綴じにした編集形態、及び各ページを縦綴じにした編集形態のいずれかであることを特徴とする請求項1に記載の画像編集装置。
【請求項４】
前記編集手段は、前記編集形態においてページに印刷されている画像データの変倍、ページの移動、ページの挿入、及びページの削除のいずれかを行うことを特徴とする請求項２に記載の画像編集装置。
【請求項５】
前記編集手段は、前記編集形態において白紙状態のページの移動、白紙状態のページの挿入、及び白紙状態のページの削除のいずれかを行うことを特徴とする請求項２に記載の画像編集装置。
【請求項６】
前記編集形態表示手段は、各ページを含んでなる編集形態の表示と共に、ページ単位の表示を行うことを特徴とする請求項1に記載の画像編集装置。
【請求項７】
前記編集手段は、前記編集形態においてページの移動、ページの挿入、及びページの削除のいずれかを行い、
前記編集形態表示手段は、各ページを含んでなる編集形態の表示と共に、ページ単位の表示を行い、前記編集手段によるページの移動、ページの挿入、及びページの削除に応じて、ページ単位の表示を変更することを特徴とする請求項２に記載の画像編集装置。
【請求項８】
画像データを印刷した複数のページを含んでなる編集形態を表示する編集形態表示ステップと、
前記編集形態表示ステップで表示された編集形態の各ページを編集する編集ステップとを含むことを特徴とするコンピュータによる画像編集方法。
【請求項９】
請求項１乃至７のいずれかに記載の画像編集装置を備えることを特徴とする画像形成装置。
【発明の詳細な説明】
【技術分野】
【０００１】
本発明は、画像データを表示画面上で編集するための画像編集装置、画像編集方法、及び画像形成装置に関する。
【背景技術】
【０００２】
周知の様にスキャナにより読取られた画像データを入力したり、パーソナルコンピュータからの画像データを受信して、この画像データによって示される画像を記録用紙上の印刷形態で表示画面に表示し、記録用紙上のレイアウトを確認しつつ編集を行うという方法が既に提案されている。
【０００３】
例えば、特許文献１では、画像をプレビュー画面に表示し、画面上の任意の領域を指定して、この領域の拡大縮小処理や回転処理を行っている。
【０００４】
また、特許文献２では、複数のページの画像を確認しながら、各ページを１ページにレイアウトして収めている。
【特許文献１】特開平０９−３７０６３号公報
【特許文献２】特開平０９−２６８６５号公報
【発明の開示】
【発明が解決しようとする課題】
【０００５】
ところで、画像形成装置の編集機能は、多様化しており、複数の記録用紙を仕分けしたり綴じたりするという機能もあり、複数のページを含む印刷物を自動的に作成することも可能である。
【０００６】
しかしながら、複数のページを含む印刷物を編集するには、印刷物の編集形態を想定しながら、各ページの編集作業を行う必要があって、編集作業が極めて困難である。
【０００７】
例えば、複数の記録用紙を中綴じにして、記録用紙半分の両面にそれぞれのページを設定する場合は、印刷物の編集形態を想定し難く、各ページの編集作業も困難になる。
【０００８】
上記特許文献１、２では、その様な編集を想定しておらず、複数のページを含む印刷物の編集を効果的に支援することができなかった。
【０００９】
そこで、本発明は、上記従来の問題点に鑑みてなされたものであり、複数のページを含む印刷物の編集を効果的に支援することが可能な画像編集装置、画像編集方法、及び画像形成装置を提供することを目的とする。
【課題を解決するための手段】
【００１０】
上記課題を解決するために、本発明の画像編集装置は、画像データを印刷した複数のページを含んでなる編集形態を表示する編集形態表示手段を備えている。
【００１１】
この様に複数のページを含んでなる編集形態、つまり印刷物の編集形態を表示すれば、各ページの相関関係等を容易に把握することができる。
【００１２】
また、前記編集形態表示手段により表示されている編集形態の各ページを編集する編集手段を備えている。
【００１３】
これにより、印刷物の編集形態を把握しながら、各ページを編集することが可能になる。
【００１４】
更に、前記編集形態は、各ページを中綴じにした編集形態、各ページを横綴じにした編集形態、及び各ページを縦綴じにした編集形態のいずれかである。
【００１５】
これにより、種々の編集形態に対応することが可能になる。
【００１６】
また、前記編集手段は、前記編集形態においてページに印刷されている画像データの変倍、ページの移動、ページの挿入、及びページの削除のいずれかを行っている。
【００１７】
あるいは、前記編集手段は、前記編集形態において白紙状態のページの移動、白紙状態のページの挿入、及び白紙状態のページの削除のいずれかを行っている。
【００１８】
これにより、様々な編集が可能になる。
【００１９】
また、前記編集形態表示手段は、各ページを含んでなる編集形態の表示と共に、ページ単位の表示を行っている。
【００２０】
これにより、印刷物の編集形態だけではなく、ページの画像も把握することが容易になる。
【００２１】
更に、前記編集手段は、前記編集形態においてページの移動、ページの挿入、及びページの削除のいずれかを行い、前記編集形態表示手段は、各ページを含んでなる編集形態の表示と共に、ページ単位の表示を行い、前記編集手段によるページの移動、ページの挿入、及びページの削除に応じて、ページ単位の表示を変更している。
【００２２】
これにより、印刷物の編集形態を把握しながら、各ページを編集し、編集箇所のページの画像を把握することが容易になる。
【００２３】
次に、本発明の画像編集方法は、画像データを印刷した複数のページを含んでなる編集形態を表示する編集形態表示ステップと、前記編集形態表示ステップで表示された編集形態の各ページを編集する編集ステップとを含んでいる。
【００２４】
また、本発明の画像形成装置は、上記本発明の画像編集装置を備えている。
【発明の効果】
【００２５】
この様に本発明によれば、複数のページを含んでなる編集形態を表示しているので、各ページの相関関係等を把握しながら、各ページを編集することが可能である。
【発明を実施するための最良の形態】
【００２６】
以下、本発明の実施形態を添付図面を参照しつつ詳細に説明する。
【００２７】
図１及び図２は、本発明の画像編集装置の一実施形態を適用した画像形成装置を示す斜視図及び側面図である。この画像形成装置1では、原稿の画像を読取って記録用紙に印刷する複写モード、原稿の画像を読取って送信したり、原稿の画像を受信して記録用紙に印刷したりするファクシミリモード、及び情報端末装置からネットワークを通じて受信した画像を記録用紙に印刷するプリンタモード等を選択的に行うことができる。この画像形成装置１は、その構成を大別すると、原稿搬送読取部２、画像形成部３、給紙部４、及び排紙処理装置５を備えている。
【００２８】
次に、複写モードを例に挙げて、画像形成装置１の動作を説明する。
【００２９】
まず、原稿を原稿搬送読取り部２の原稿セットトレイ１１にセットしてから、原稿搬送読取り部２の操作パネル１２を操作することにより印刷用紙のサイズ及び変倍率等を入力設定する。そして、操作パネル１２の操作により複写の開始を指示する。
【００３０】
これに応答して原稿搬送読取り部２では、ピックアップローラ１３により原稿セットトレイ１１上の各原稿を１枚ずつ引き出し、原稿をサバキ板１４と搬送ローラ１５間を介してプラテンガラス１６へと送り出し、原稿をプラテンガラス１６上で副走査方向に搬送して原稿排出トレイ１７へと排出する。
【００３１】
このとき、第１読取り部２１によって原稿の表面（下側面）を読取る。第１読取り部２１の第１走査ユニット２３をポジションＰに移動して位置決めし、第２走査ユニット２４を所定位置に位置決めしておき、第１走査ユニット２３の露光ランプにより原稿の表面をプラテンガラス１６を介して照射し、原稿の反射光を第１及び第２走行ユニット２３、２４の各反射ミラーにより結像レンズ２６へと導き、原稿の反射光を結像レンズ２６によりＣＣＤ２７に集光させ、原稿の表面の画像をＣＣＤ２７上に結像させ、これにより原稿の表面の画像を読取る。
【００３２】
また、第２読取り部２２によって原稿の裏面（上側面）を読取る。第２読取り部２２は、プラテンガラス１６の上方に配置されており、原稿の裏面を照射する露光ランプ（ＬＥＤアレイ、蛍光灯等）、画素毎に、原稿の反射光を集光するセルフォックレンズアレイ、及びセルフォックレンズアレイを通じて受光した原稿の反射光を光電変換して、アナログの画像信号を出力する密着イメージセンサ（CIS；Contact Image Sensor）等を備えている。
【００３３】
更に、原稿搬送読取り部２の上部筐体を開いて、プラテンガラス１６上に原稿を載置し、この状態で第１読取り部２１により原稿の表面を読取ることが可能である。この場合は、第１及び第２走査ユニット２３、２４を相互に所定の速度関係を維持しつつ副走査方向に移動させ、第１走査ユニット２３によってプラテンガラス１６上の原稿を露光し、第１及び第２走査ユニット２３、２４によって原稿からの反射光を結像レンズ２６へと導き、結像レンズ２６によって原稿の画像をＣＣＤ２７上に結像する。
【００３４】
こうして原稿の片面もしくは両面が読取られると、原稿の片面もしくは両面の画像を示す画像データがマイクロコンピュータ等の制御部５１（図３に示す）に入力され、ここで画像データに各種の画像処理が施され、この画像データが画像形成部３へと出力される。
【００３５】
画像形成部３は、画像データによって示される原稿の画像を記録用紙に印刷するものであって、感光体ドラム３１、帯電装置３２、レーザスキャンユニット（以下ＬＳＵと称する）３３、現像装置３４、転写装置３５、クリーニング装置３６、除電装置（図示せず）、及び定着装置３７等を備えている。
【００３６】
また、画像形成部３には、主搬送路３８及び反転搬送路３９が設けられており、給紙部４から給紙されて来た記録用紙が主搬送路３８に沿って搬送される。給紙部４は、用紙カセット４１に収納された記録用紙、または手差トレイ４２に載置された記録用紙を１枚ずつ引き出して、記録用紙を画像形成部３の主搬送路３８へと送り出す。
【００３７】
画像形成部３の主搬送路３８に沿って記録用紙が搬送されている途中で、記録用紙が感光体ドラム３１と転写装置３５との間を通過し、更に定着装置３７を通過して、記録用紙に対する印刷が行われる。感光体ドラム３１は、一方向に回転しており、その表面をクリーニング装置３６と除電装置によりクリーニングされてから、その表面を帯電装置３２により均一に帯電される。レーザスキャンユニット３３は、原稿搬送読取り部２からの画像データに基づいてレーザ光を変調し、このレーザ光によって感光体ドラム３１表面を主走査方向に繰り返し走査して、静電潜像を感光体ドラム３１表面に形成する。現像装置３４は、トナーを感光体ドラム３１表面に供給して、静電潜像を現像し、トナー像を感光体ドラム３１表面に形成する。転写装置３５は、該転写装置３５と感光体ドラム３１間を通過して行く記録用紙に感光体ドラム３１表面のトナー像を転写する。定着装置３７は、記録用紙を加熱及び加圧して、記録用紙上のトナー像を定着させる。
【００３８】
主搬送路３８と反転搬送路３９の接続位置には、分岐爪４３が配設されている。記録用紙の片面だけに印刷が行われる場合は、分岐爪４３が実線で示す位置に位置決めされ、この分岐爪４３により定着装置３７からの記録用紙が排紙トレイ４４又は排紙処理装置５の方へと導かれる。
【００３９】
また、記録用紙の両面に印刷が行われる場合は、分岐爪４３が点線で示す位置に回転移動されて、記録用紙が反転搬送路３９の方へと導かれる。そして、記録用紙は、反転搬送路３９を通過して、その表裏を反転されて主搬送路３８へと再び搬送され、主搬送路３８の再度の搬送途中で、その裏面への印刷が行われて、排紙トレイ４４又は排紙処理装置５の方へと導かれる。
【００４０】
こうして印刷された記録用紙は、排紙トレイ４４又は排紙処理装置５の方へと導かれて、排紙トレイ４４に排出されたり、排紙処理装置５の各排紙トレイ５ａのいずれかに排出される。
【００４１】
排紙処理装置５では、複数の記録用紙を各排紙トレイ５ａに仕分けして排出したり、各記録用紙にパンチング処理を施したり、各記録用紙にステープル処理を施す。例えば、複数部の印刷物を作成する場合は、各排紙トレイ５ａに印刷物の一部ずつが割り当てられる様に各記録用紙を各排紙トレイ５ａに仕分けして排出し、排紙トレイ５ａ毎に、排紙トレイ５ａ上の各記録用紙にパンチング処理やステープル処理を施して、印刷物を作成する。
【００４２】
ところで、この様な画像形成装置では、記録用紙毎に、記録用紙の片面もしくは両面にページを割り当てて、それぞれのページの印刷を行い、これらのページを含む印刷物を作成することができる。
【００４３】
この様な印刷物の編集に際し、印刷物の編集形態を頭の中で想定しながら、各ページの編集作業を行うならば、編集作業が極めて困難になる。
【００４４】
そこで、本実施形態の画像編集装置では、印刷物の編集を容易にするために、印刷物の編集形態を表示しながら、印刷物の各ページを編集することができる様にしている。
【００４５】
図３は、本実施形態の画像編集装置の構成を示すブロック図である。本実施形態の画像編集装置は、画像形成装置１全体の制御を行う制御部５１、各種の入力指示を行うために操作される操作パネル１２、操作パネル１２に設けられた表示部５２、各種のデータを格納するためのＲＡＭ５３、画像形成装置１を動作させるための制御プログラムやデータテーブルを格納したＲＯＭ５４、及びハードディスク装置５５等を備えている。
【００４６】
図４は、操作パネル１２を示す平面図である。この操作パネル１２には、表示部５２、ファイルモード、ファクシミリモード、コピーモード等を設定するためのキー５７ａ、５７ｂ、５７ｃ、テンキー５８、クリアキー５９、スタートキー６０等を設けている。また、表示部５２に透明なタッチパネル（図示せず）を重ねて設けているので、このタッチパネルを操作して、表示部５２に表示されているキー６１を選択的に操作することも可能である。これらのキーの操作による入力指示は、制御部５１に通知される。
【００４７】
図５及び図６は、本実施形態の画像編集装置による編集処理を示すフローチャートである。このフローチャート等を参照しつつ、印刷物の編集形態を表示したり、印刷物の各ページを編集するための手順を説明する。
【００４８】
まず、図４に示す操作パネル１２のファイルモードのキー５７ａを押すと、これに応答して制御部５１は、図７に示す様なファイル閲覧画面６１を操作パネル１２の表示部５２に表示して、表示部５２の表示内容を更新する。
【００４９】
このファイル閲覧画面６１には、複数のファイルの名称、ユーザー名、作成日付等が表示されている。また、ページ単位でのスクロール操作が可能なスクロールキー６２が表示されており、スクロールキー６２を操作することにより前のページ又は後のページを表示することができる。例えば、スクロールキー６２の操作により図８及び図９に示す様に各ファイルの表示を更新することができる。
【００５０】
そして、このファイル閲覧画面６１における所望のファイルを選択して押すと、これに応答して制御部５１は、この選択されたファイルのデータをハードディスク装置５５から読み出して、このファイルのデータを操作パネル１２の表示部５２に表示する（ステップＳ１０１）。
【００５１】
ここで、ファイルのデータが画像データだけならば、制御部５１は、画像データによって示される各ページの画像を選択的に表示部５２にプレビュー表示するだけである。
【００５２】
また、ファイルのデータが、画像データだけではなく、記録用紙の片面印刷もしくは両面印刷、中綴じ、横綴じ、及び縦綴じ等の編集内容を示すものであれば、制御部５１は、画像データによって示される各ページの画像を選択的に表示するだけではなく、編集内容を解析して、この編集内容に対応する編集形態をも表示部５２にプレビュー表示する（ステップＳ１０２）。例えば、パーソナルコンピュータでは、その様な編集内容を設定することが可能であり、画像データ及び編集内容を含むファイルを画像形成装置１に送信して、このファイルを画像形成装置１のハードディスク装置５５に記憶させることができる。この様なファイルを読出して、画像及び編集形態を表示する。
【００５３】
例えば、画像データが複数のページの画像を示すものであり、編集内容が記録用紙の片面印刷もしくは両面印刷と中綴じを示すものであれば、図１０に示す様なプレビュー画面７１を表示部５２に表示する。このプレビュー画面７１の上側領域には、複数の記録用紙の中央を綴じた印刷物７２と、印刷物７２の開かれた左右ページのページ番号とが表示され、このプレビュー画面７１の下側領域には、印刷物７２の各ページ（記録用紙半分の片面に対応する）７３と、各ページ７３のページ番号が表示されている。更に、このプレビュー画面７１の各所に、前ページキー７４、次ページキー７５、左右スクロールキー７６、上下スクロールキー７７、キャンセルキー７８、及びＯＫキー７９が表示されている。印刷物７２は、複数の記録用紙を中綴じにして、記録用紙半分の両面にそれぞれのページを設定したものである。印刷物７２の開かれた左右ページが下側領域の中央寄りの２つのページ７３に対応し、各ページ７３にそれぞれの画像が拡大表示される。カーソルＫは、該カーソルＫの右隣のページを指示しており、左右スクロールキー７６の操作により移動させることができる。
【００５４】
このプレビュー画面７１における前ページキー７４、次ページキー７５、及び左右スクロールキー７６を選択的に押すと、その度に、制御部５１は、プレビュー画面７１上の印刷物７２のページをめくって、前の２つのページ又は次の２つのページを表示し、これと同時に下側領域の４つのページ７３を左右にスクロールさせて、前の２つのページ又は次の２つのページを新たに表示して、４つのページのうちの２つを更新する。この様な操作により印刷物７２の全てのページを確認することができる。
【００５５】
この状態で、キャンセルキー７８を押すと（ステップＳ１０３で「Ｙｅｓ」）、これに応答して制御部５１は、プレビュー画面７１を終了して、表示部５２の表示を図４の状態に戻す。
【００５６】
また、ＯＫキー７９を押すと（ステップＳ１０４で「Ｙｅｓ」）、これに応答して制御部５１は、図１１に示す様なファイル再操作画面８１を表示部５２に表示して、表示部５２の表示内容を更新する。
【００５７】
このファイル再操作画面８１には、印刷キー８２、編集キー８３、送信キー８４、削除キー８５、記憶キー８６、詳細情報キー８７、及びキャンセルキー８８等が表示されている。
【００５８】
このファイル再操作画面８１におけるキャンセルキー８８を押すと、これに応答して制御部５１は、この編集処理を終了する。あるいは、削除キー８５を押すと、これに応答して制御部５１は、プレビュー画面７１の印刷物７２の各ページを示す画像データ及び編集内容を含むファイルをハードディスク装置５５内で無効にする。そして、表示部５２の表示を図４の状態に戻す。
【００５９】
また、編集キー８３を押さずに（ステップＳ１０５で「Ｎｏ」）、記憶キー８６を押すと（ステップＳ１０６で「Ｙｅｓ」）、これに応答して制御部５１は、プレビュー画面７１の印刷物７２の各ページを示す画像データ及び編集内容を含むファイルをハードディスク装置５５に再記憶する（ステップＳ１０７）。
【００６０】
あるいは、送信キー８４を押すと（ステップＳ１０８で「Ｙｅｓ」）、これに応答して制御部５１は、プレビュー画面７１の印刷物７２の各ページを示す画像データ及び編集内容を含むファイルを他の端末装置に送信する（ステップＳ１０９）。この送信に際しては、送信用の画面を表示部５２に表示し、宛先等を入力してからファイルの送信を行う。
【００６１】
また、印刷キー８２を押すと（ステップＳ１１０で「Ｙｅｓ」）、これに応答して制御部５１は、プレビュー画面７１の印刷物７２の各ページを示す画像データ及び編集内容を含むファイルを画像形成装置１に与える（ステップＳ１１１）。画像形成装置１では、画像データ及び編集内容に従って、複数の記録用紙の片面もしくは両面の印刷を行い、各記録用紙を排紙処理装置５に排出し、排紙処理装置５で各記録用紙に対するパンチング処理やステープル処理を施して、プレビュー画面７１の印刷物７２に対応する実際の印刷物を作成する。この後、表示部５２の表示を図４の状態に戻す。
【００６２】
一方、編集キー８３を押すと（ステップＳ１０５で「Ｙｅｓ」）、これに応答して制御部５１は、図１２に示す様な編集画面９１を表示部５２に表示する（ステップＳ１１２）。この編集画面９１は、図１０のプレビュー画面７１にページ指定キー９２、セットキー９３、挿入キー９４、削除キー９５、及び移動キー９６を付加したものである。
【００６３】
この編集画面９１においても、プレビュー画面７１と同様に、画面の上側領域に複数の記録用紙の中央を綴じた印刷物７２が表示され、画面の下側領域に印刷物７２の各ページ（記録用紙半分の片面に対応する）７３が表示されている。そして、前ページキー７４、次ページキー７５、及び左右スクロールキー７６を選択的に押すと、その度に、印刷物７２のページがめくられて、前の２つのページ又は次の２つのページが表示され、これと同時に下側領域の４つのページ７３が左右にスクロールされて、前の２つのページ又は次の２つのページが新たに表示されて、４つのページのうちの２つが更新される。この様な操作により印刷物７２の所望の編集対象のページを表示させることができる。
【００６４】
ここで、キー操作により印刷物７２の編集対象のページを表示させたならば、例えば削除キー９５を押して、編集対象のページの削除を入力指示し（ステップＳ１１３で「削除」）、更に左右スクロールキー７６の操作によりカーソルＫの右隣に編集対象のページが来る様に該カーソルＫを移動させて、編集対象のページを指示してから（ステップＳ１１４）、セットキー９３を押すと（ステップＳ１１５で「Ｙｅｓ」）、これに応答して制御部５１は、カーソルＫの右隣の編集対象のページを削除する（ステップＳ１１６）。そして、制御部５１は、編集対象のページを削除したことから、他の残されている各ページの順番を更新して、この更新された順番に従って印刷物７２の開かれた左右ページ及び下側領域の４つのページ７３も更新する（ステップＳ１１７）。この後、ＯＫキー７９が押されなければ（ステップＳ１１８で「Ｎｏ」）、ステップＳ１１２に戻る。
【００６５】
また、前ページキー７４、次ページキー７５、及び左右スクロールキー７６の選択的な操作により印刷物７２の編集対象のページを表示させた状態で（ステップＳ１１２）、移動キー９６を押して、編集対象のページの移動を入力指示し（ステップＳ１１３で「移動」）、更に左右スクロールキー７６の操作によりカーソルＫの右隣に編集対象のページが来る様に該カーソルＫを移動させて、編集対象のページを指示してから、セットキー９３を押し（ステップＳ１１９）、引き続いて左右スクロールキー７６の操作によりカーソルＫを移動させて、編集対象のページの移動先を入力指示し（ステップＳ１２０）、再びセットキー９３を押すと（ステップＳ１２１で「Ｙｅｓ」）、これに応答して制御部５１は、編集対象のページを移動先に移動させる（ステップＳ１２２）。そして、制御部５１は、編集対象のページを移動させことから、各ページの順番を更新して、この更新された順番に従って印刷物７２の開かれた左右ページ及び下側領域の４つのページ７３も更新する（ステップＳ１１７）。この後、ＯＫキー７９が押されなければ（ステップＳ１１８で「Ｙｅｓ」）、ステップＳ１１２に戻る。
【００６６】
更に、キー操作により印刷物７２の編集対象のページを表示させた状態で（ステップＳ１１２）、挿入キー９４を押して、新たなページの挿入を入力指示し（ステップＳ１１３で「挿入」）、更に左右スクロールキー７６の操作によりカーソルＫを移動させて、新たなページの挿入先を入力指示してから、セットキー９３を押すと（ステップＳ１２３）、これに応答して制御部５１は、画像データの選択及び読み出し画面（図示せず）を表示部５２に表示する。この画像データの選択及び読出し画面においては、画像データをハードディスク装置５５等から読出して指示したり、白紙状態のページを指示することができる。
【００６７】
例えば、画像データの選択及び読出し画面に対する操作により白紙状態のページを入力指示すると（ステップＳ１２４で「白紙」）、これに応答して制御部５１は、白紙状態のページを作成する（ステップＳ１２５）。そして、再びセットキー９３を押すと（ステップＳ１２６で「Ｙｅｓ」）、制御部５１は、白紙状態のページを新たなページとして挿入先に挿入する（ステップＳ１２７）。
【００６８】
また、画像データの選択及び読出し画面に対する操作によりハードディスク装置５５等内の画像データを入力指示すると（ステップＳ１２４で「画像」）、これに応答して制御部５１は、この画像データをハードディスク装置５５等から読み出す（ステップＳ１２８）。そして、再びセットキー９３を押すと（ステップＳ１２６で「Ｙｅｓ」）、制御部５１は、画像データによって示される画像のページを新たなページとして挿入先に挿入する（ステップＳ１２７）。
【００６９】
制御部５１は、新たなページを挿入したことから、各ページの順番を更新して、この更新された順番に従って印刷物７２の開かれた左右ページ及び下側領域の４つのページ７３も更新する（ステップＳ１１７）。この後、ＯＫキー７９が押されなければ（ステップＳ１１８で「Ｙｅｓ」）、ステップＳ１１２に戻る。
【００７０】
この様に印刷物７２の編集形態を表示しつつ、ページの削除、移動、及び挿入という編集処理を行うことができる。勿論、新たなページを挿入してから、このページを削除したり移動することも可能である。
【００７１】
こうして印刷物７２の編集が終了したならば、ＯＫキー７９を押す（ステップＳ１１８で「Ｎｏ」）。これに応答して制御部５１は、図１１に示す様なファイル再操作画面８１を表示部５２に再び表示して、表示部５２の表示内容を更新する。
【００７２】
そして、先に述べた様にファイル再操作画面８１における記憶キー８６を押すと（ステップＳ１０６で「Ｙｅｓ」）、これに応答して制御部５１は、編集画面９１の印刷物７２の各ページを示す画像データ及び編集内容を含むファイルをハードディスク装置５５に記憶する（ステップＳ１０７）。
【００７３】
あるいは、送信キー８４を押すと（ステップＳ１０８で「Ｙｅｓ」）、これに応答して制御部５１は、編集画面９１の印刷物７２の各ページを示す画像データ及び編集内容を含むファイルを他の端末装置に送信する（ステップＳ１０９）。
【００７４】
また、印刷キー８２を押すと（ステップＳ１１０で「Ｙｅｓ」）、これに応答して制御部５１は、編集画面９１の印刷物７２の各ページを示す画像データを及び編集内容を含むファイルを画像形成装置１に与える（ステップＳ１１１）。画像形成装置１では、画像データ及び編集内容に従って、複数の記録用紙の片面もしくは両面の印刷を行い、各記録用紙を排紙処理装置５に排出し、排紙処理装置５で各記録用紙に対するパンチング処理やステープル処理を施して、編集画面９１の印刷物７２に対応する実際の印刷物を作成する。この後、表示部５２の表示を図４の状態に戻す。
【００７５】
この様に本実施形態の画像編集装置では、印刷物７２を表示しながら、印刷物７２の各ページを編集することができるので、例えば複数の記録用紙を中綴じにした印刷物であっても、この印刷物の編集形態を画面上で確認しながら、印刷物の各ページの編集作業を容易に行うことができる。
【００７６】
尚、本発明は、上記実施形態に限定されるものではなく、多様に変形することができる。例えば、印刷物の編集形態を実際の印刷物に合わせて多様に変更することができる。図１３に示す様に印刷物７２の縦中央にステープル箇所Ｓｐを表示したり、図１４に示す様に印刷物７２を縦綴じにして、印刷物７２の横中央にパンチング箇所Ｐｐを表示したり、あるいは印刷物を横綴じにして表示しても良い。印刷物７２を縦綴じにした場合は、上下スクロールキー７７を操作して、画面上で印刷物７２のページをめくる。更に、編集処理として、ページの削除、移動、及び挿入だけではなく、ページに印刷されている画像データの変倍等を行っても良い。
【図面の簡単な説明】
【００７７】
【図１】本発明の画像編集装置の一実施形態を適用した画像形成装置を示す斜視図である。
【図２】図１の画像形成装置を示す側面図である。
【図３】本実施形態の画像編集装置の構成を示すブロック図である。
【図４】図３の画像編集装置における操作パネルを示す平面図である。
【図５】図３の画像編集装置による処理を示すフローチャートである。
【図６】図５に引き続く処理を示すフローチャートである。
【図７】図３の画像編集装置におけるファイル閲覧画面を示す平面図である。
【図８】ファイル閲覧画面の更新例を示す平面図である。
【図９】ファイル閲覧画面の他の更新例を示す平面図である。
【図１０】図３の画像編集装置におけるプレビュー画面を示す平面図である。
【図１１】図３の画像編集装置におけるファイル再操作画面を示す平面図である。
【図１２】図３の画像編集装置における編集画面を示す平面図である。
【図１３】編集画面の他の例を示す平面図である。
【図１４】編集画面の別の例を示す平面図である。
【符号の説明】
【００７８】
１  画像形成装置
２  原稿搬送読取部
３  画像形成部
４  給紙部
５  排紙処理装置
１１  原稿セットトレイ
１２  操作パネル
１３  ピックアップローラ
１４  サバキ板
１５  搬送ローラ
１６  プラテンガラス
１７  原稿排出トレイ
２１  第１読取り部
２２  第２読取り部
２３  第１走査ユニット
２４  第２走査ユニット
２６  結像レンズ
２７  ＣＣＤ
５１  制御部
５２  表示部
５３  ＲＡＭ
５４  ＲＯＭ
５５  ハードディスク装置
【図１】
2007228063.tif 000003
【図２】
2007228063.tif 000004
【図３】
2007228063.tif 000005
【図４】
2007228063.tif 000006
【図５】
2007228063.tif 000007
【図６】
2007228063.tif 000008
【図７】
2007228063.tif 000009
【図８】
2007228063.tif 000010
【図９】
2007228063.tif 000011
【図１０】
2007228063.tif 000012
【図１１】
2007228063.tif 000013
【図１２】
2007228063.tif 000014
【図１３】
2007228063.tif 000015
【図１４】
2007228063.tif 000016